(57)【要約】【課題】電柱上の架台に自動電圧調整器を載置した場合、自動電圧調整器を構成する制御部の前面に設置された片開き構造の開閉扉を開放すると、開閉扉が架台の外周を構成する手すり部と干渉してしまう。したがって、制御部内の機器に故障が発生した場合、自動電圧調整器を降柱した後、開閉扉を開放して、制御部内の故障機器の交換作業をする必要があった。【解決手段】自動電圧調整器を構成する制御部の開閉扉を、中央観音開き構造の開閉扉とすることにより、架台上で開閉扉を開放しても、開閉扉が架台の外周を構成する手すり部と干渉することを回避可能にした。これにより、制御部内の機器に故障が発生した場合、架台上で開閉扉を開放して、故障機器の交換作業を行うことができるようになった。【選択図】        図１
2019213388.tif 000002
【特許請求の範囲】
【請求項１】
変圧器と制御部からなり、該制御部筐体の開閉扉を観音扉として構成したことを特徴とする自動電圧調整器。
【請求項２】
前記制御部筐体と開閉扉間の上部隙間を覆う斜光防水板を設けて構成したことを特徴とする請求項１記載の自動電圧調整器。
【請求項３】
前記開閉扉の上部位置を制御部筐体の上面位置より低く構成し、前記斜光防水板を前記制御部筐体の上部前面位置から開閉扉上部側に突出させることにより、前記制御部筐体と開閉扉間の上部隙間を覆うように構成したことを特徴とする請求項１又は請求項２の何れかに記載の自動電圧調整器。
【発明の詳細な説明】
【技術分野】
【０００１】
本発明は、電柱上に設置される自動電圧調整器に関し、当該自動電圧調整器を載置する架台と自動電圧調整器を構成する制御部の開閉扉が干渉することを防止できる構造に関するものである。
【背景技術】
【０００２】
電柱上には、電柱に金属製の固定具を介して取り付けられ、一般家庭などへ電力を供給する柱上変圧器のほか、柱上変圧器のタップで対応できない電圧変動を補償する自動電圧調整器が存在する。
【０００３】
当該自動電圧調整器は、{ HYPERLINK "https://ja.wikipedia.org/wiki/%E5%A4%89%E9%9B%BB%E6%89%80" \o "変電所" ,変電所}から遠ざかるにつれ、電線路の{ HYPERLINK "https://ja.wikipedia.org/wiki/%E9%9B%BB%E6%B0%97%E6%8A%B5%E6%8A%97" \o "電気抵抗" ,電気抵抗}によって低下してしまった電圧を再度上昇させるもので、{ HYPERLINK "https://ja.wikipedia.org/wiki/%E9%83%8A%E5%A4%96" \o "郊外" ,郊外}に多く見られる。
【０００４】
当該自動電圧調整器には、機械接点式のタップ切換によって電圧調整を行なうＳＶＲや、サイリスタを用いて高速かつ多頻度でタップ切換を行って電圧調整を行うＴＶＲが存在する。これら自動電圧調整器は、前述した柱上変圧器よりも大型であるため複数本の電柱によって支持される（下記非特許文献１参照）。
【先行技術文献】
【特許文献】
【０００５】
【非特許文献１】愛知電機株式会社カタログ（ＴＶＲ：２０１６年１１月作成）［平成３０年５月１８日検索］インターネット＜URL：http://www.aichidenki.jp/products/catalog_pdf/tvr.pdf＞
【０００６】
上記非特許文献１には、二本の電柱間に設置した架台上に載置されたＴＶＲが掲載されている。
【０００７】
このような電柱間の架台は、自動電圧調整器を載置する際などに作業者が架台上から転落することを防止する目的で、その外周に手すり部が設けられることがある。
【０００８】
図４は、電柱上に設置される架台１０１と、該架台１０１上に載置されるＴＶＲ１０２を示す上面図である。図４に示すように、架台１０１は二本の電柱１０３ａ，１０３ｂ間に設置されており、１０４は架台１０１の外周に取り付けられた手すり部である。
【０００９】
ＴＶＲ１０２は変圧器部１０５と制御部１０６からなり、制御部１０６は制御部の筐体（以下、制御筐という）１０７内に図示しないサイリスタや制御装置などの各ユニットが収容されている。
【００１０】
制御筐１０７の前面には片開きの開閉扉１０８が取り付けられており、電柱上に載置する前の工場などにおけるＴＶＲの製造時に、当該開閉扉１０８を開けることで、前述したサイリスタや各ユニットを制御筐１０７内に収容する。
【発明の概要】
【発明が解決しようとする課題】
【００１１】
然るに、ＴＶＲを電柱上の架台に載置した後は、開閉扉１０８を開くと、架台１０１に設けた手すり部１０４と開閉扉１０８が干渉してしまい、制御筐１０７内の制御装置を操作する際に支障を来たす。
【００１２】
そこで、図５に示すように、開閉扉１０８の前面に片開きの小扉１０９を設け、小扉１０９を開くことにより、制御筐１０７内の制御装置を操作するようにしていた。小扉１０９は開閉扉１０８と比較してサイズが小さいので、その開閉操作によっても架台１０１の手すり部と干渉することはない。
【００１３】
しかし、開閉扉１０８と別途に小扉１０９を設ければ製品のコストアップとなる。
【００１４】
また、制御筐１０７内のサイリスタや各ユニットが故障した場合には、これらを正常品と交換する必要が生じるが、この交換作業は小扉１０９では対応することができず、ＴＶＲを電柱１０３ａ，１０３ｂから降ろした後、開閉扉１０８を開けて交換作業をしなければならなかった。
【００１５】
そこで、本発明は、ＴＶＲの制御部箱１０７内のサイリスタや各ユニットが故障等した場合、ＴＶＲを降柱することなく、これらの構成要素の交換作業を行うことのできる構造を提供することを１つの目的とする。
【００１６】
また、前述したとおり、ＴＶＲは屋外の電柱上に設置されることから、太陽光によって制御筐１０７内の温度が上昇してしまう。制御筐１０７内には制御装置などの精密機器が収容されているので、温度上昇は故障の原因となり好ましくない。
【００１７】
これを防止するため、従来から制御部１０６には、太陽光が制御筐１０７内に照射することを防止する遮光板が設けられている（図５のＸ位置）。
【００１８】
図６は図５のＸ位置を拡大した図である。図５において、１１０は開閉扉１０８を制御筐１０７の前面位置において開閉可能に枢支するヒンジであり、当該ヒンジの上方に位置する、制御筐１０７の上部前面位置の、開閉扉１０８と対向する部位が遮光板１１０として機能している。
【００１９】
しかし、図５に示す遮光板１１１は、その前方位置が開閉扉１０８との間に若干の隙間を設けて対向しているので、太陽光が制御筐１０７内に照射することは防止できるが、降雨時の雨が当該隙間から制御筐１０７内に侵入してしまい、制御筐１０７内部の制御装置その他の精密機械に故障が生じる懸念がある。
【００２０】
そこで、本発明は、制御部１０６の制御筐１０７内に太陽光が照射することを防止するとともに、降雨時において雨が制御筐１０７内に侵入することも防止できる構造を提供することも１つの目的である。
【課題を解決するための手段】
【００２１】
請求項１記載の発明は、変圧器と制御部からなり、該制御部筐体の開閉扉を観音扉として構成したことに特徴を有する。
【００２２】
請求項２記載の発明は、請求項１記載の制御部筐体に、該筐体と開閉扉間の上部隙間を覆う斜光防水板を設けて構成したことに特徴を有する。
【００２３】
請求項３記載の発明は、請求項１又は請求項２の何れかに記載の開閉扉の上部位置を制御部筐体の上面位置より低く構成し、斜光防水板を前記制御部筐体の上部前面位置から開閉扉上部側に突出させることにより、前記制御部筐体と開閉扉間の上部隙間を覆うように構成したことに特徴を有する。
【発明の効果】
【００２４】
請求項１記載の発明によれば、開閉扉が片開きの場合と比較して、開閉扉の寸法が小さくなるので、開閉扉が架台の手すり部に干渉することを防止でき、架台上において、開閉扉を開けて必要な作業を行うことができる。
【００２５】
請求項２記載の発明によれば、斜光防水板によって制御部筐体と開閉扉間の隙間が覆われるので、太陽光のみならず、雨が制御部筐体内に侵入することを防止することができる。
【００２６】
請求項３記載の発明によれば、簡易な構成によって斜光防水板を設置することができる。
【図面の簡単な説明】
【００２７】
【図１】本発明の自動電圧調整器を構成する制御部の正面図と左側面図である。
【図２】本発明の自動電圧調整器を構成する制御部の開閉扉を開放した状態を説明する上面図である。
【図３】本発明の自動電圧調整器に係る制御部の遮光防水板を示す要部拡大図ある。
【図４】従来の自動電圧調整器を構成する制御部の開閉扉を開放した場合の架台手すり部との干渉状態を説明する上面図である。
【図５】従来の自動電圧調整器を構成する制御部の正面図と左側面図である。
【図６】従来の自動電圧調整器に係る制御部の遮光板を示す要部拡大図である。
【発明を実施するための形態】
【００２８】
以下、本発明の実施の形態を図１乃至図３により説明する。図１は本発明に係る自動電圧調整器を構成する制御部１の正面図及び左側面図である。本発明の自動電圧調整器は、制御部１の筐体（制御筐）２の正面に観音開き構造の開閉扉３が取り付けられている。
【００２９】
図２は二本の電柱５ａ，５ｂ間に取り付けた架台６上に、図１に示す制御部１を構成要素とする自動電圧調整器４を載置した状態を示す上面図である。本発明に係る自動電圧調整器４も制御部１と変圧器部７によって構成されていることは、図４に示す従来の自動電圧調整器１０２と同様である。
【００３０】
本発明の自動電圧調整器４に係る制御部１は、前述したとおり、正面側に設置した開閉扉３が観音開き構造であるので、当該開閉扉３を開いたとき、図２に示すように、開閉扉３が架台６の手すり部８に干渉することはない。
【００３１】
したがって、制御部１内に収容された図示しないサイリスタや制御装置などの各ユニットに故障が生じた場合でも、架台６上で開閉扉３を開放して、故障した部品やユニットを交換することができる。
【００３２】
これにより、従来の自動電圧調整器１０２（図４参照）のように、架台上からこれを降柱して、故障した部品やユニットの交換作業をする必要がなくなり、作業性が向上する。
【００３３】
また、通常時において制御部1内の制御装置を操作する際も開閉扉３を開放して操作すれば良いので、従来の自動電圧調整器１０２のような小扉１０９（図５参照）を設ける必要はなく、製品コストを抑制することができる。
【００３４】
図３は図１に示すＹ部位を拡大した図である。図３において、９は制御部１の制御筐２の前面に取り付けた開閉扉３を開閉自在に枢支するヒンジ部を示しており、開閉扉３の上部は、制御筐２の上面より一段低い寸法で形成されている。
【００３５】
本発明では、制御筐２の上面と開閉扉３上部との段差を利用して、制御筐２の上部前面から前方に向けて遮光防水板１０を突出させる形で取り付けている。
【００３６】
当該遮光防水板１０の存在により、太陽光が制御筐２内に照射されることを防止でき、制御筐２内の温度上昇を抑制できる。この結果、制御筐２内の制御装置などの精密機器の故障を誘発することを防止できる。
【００３７】
また、降雨時において、雨が制御筐２と開閉扉３間の隙間から制御筐２内に侵入して、制御筐２内の精密機器を故障させることを防止できる。
【００３８】
以上説明したように、本発明の自動電圧調整器によれば、架台上で開閉扉を開放しても架台の手すり部と干渉しないので、制御部内の各要素が故障等した場合は、架台上で故障要素の交換作業を行うことができ、自動電圧調整器の降柱作業が不要となる。
【００３９】
また、制御部の制御筐と開閉扉間の隙間を覆う遮光防水板が設置されているので、制御筐内への太陽光の照射と、降雨時における雨の侵入を防止できる。その結果、制御筐内の温度上昇や制御筐内の精密機器の雨との接触を抑制することができ、精密機器が故障することを防止できる。
【産業上の利用可能性】
【００４０】
本発明は狭隘部、特に屋外に設置される機器に利用可能である。
【符号の説明】
【００４１】
１，１０６  制御部
２，１０７  制御部の筐体（制御筐）
３，１０８  開閉扉
４，１０２  自動電圧調整器（ＴＶＲ）
５，１０３  電柱
６，１０１  架台
７，１０５  変圧器部
８，１０４  手すり部
９，１１０  ヒンジ部
１０  遮光防水板
１１１  遮光板
【図１】
2019213388.tif 000003
【図２】
2019213388.tif 000004
【図３】
2019213388.tif 000005
【図４】
2019213388.tif 000006
【図５】
2019213388.tif 000007
【図６】
2019213388.tif 000008
【手続補正書】
【提出日】平成30年6月7日(2018.6.7)
【手続補正１】
【補正対象書類名】明細書
【補正対象項目名】０００３
【補正方法】変更
【補正の内容】
【０００３】
当該自動電圧調整器は、変電所から遠ざかるにつれ、電線路の電気抵抗によって低下してしまった電圧を再度上昇させるもので、郊外に多く見られる。